(57)【要約】      （修正有）【課題】機器の配線と脚体との接触を抑制することができる天板昇降式什器を提供する。【解決手段】天板昇降式什器１００は、上面に作業面が形成された天板３１を有する上部構造体と、上部構造体を昇降可能に支持する下部構造体と、上部構造体側から延びる配線Ｄを案内する上部案内部Ｓ１と、上部構造体の下方であって下部構造体から離間した位置に配置されるとともに、上部案内部に案内された配線Ｄの余長部分を収容し、配線Ｇの下方へのアクセスを可能とする配線受け部９０と、を備えることを特徴とする。【選択図】図３
2018068937.tif 000002
【特許請求の範囲】
【請求項１】
上面に作業面が形成された天板を有する上部構造体と、
該上部構造体を昇降可能に支持する下部構造体と、
前記上部構造体側から延びる配線を案内する上部案内部と、
前記上部構造体の下方であって前記下部構造体から離間した位置に配置されるとともに、前記上部案内部に案内された前記配線の余長部分を収容し、前記配線の下方へのアクセスを可能とする配線受け部と、を備えることを特徴とする天板昇降式什器。
【請求項２】
前記上部構造体は、
前記天板の後部から立設された背面部と、
前記天板から立設され、前記背面部よりも前方に配置された前面部と、を有し、
前記上部案内部は、前記背面部と前記前面部との間に形成されていることを特徴とする請求項１に記載の天板昇降式什器。
【請求項３】
前記背面部には、外部と前記上部案内部とを連通し、前記配線が配置される第一開口部が形成されていることを特徴とする請求項２に記載の天板昇降式什器。
【請求項４】
前記上部構造体は、
前記天板の上方に配置され、前記背面部に支持された棚板を有し、
前記上部案内部は、前記天板と前記棚板との間に形成されていることを特徴とする請求項２または３に記載の天板昇降式什器。
【請求項５】
前記天板には、前記配線受け部と前記上部案内部とを連通し、前記配線が配置される第二開口部が形成されていることを特徴とする請求項１から４のいずれか一項に記載の天板昇降式什器。
【請求項６】
前記第二開口部は、前記配線受け部の上方に配置されていることを特徴とする請求項５に記載の天板昇降式什器。
【請求項７】
前記配線受け部には、前記配線が接続可能な電源タップが設けられ、
該電源タップの電源線を下方に案内する下部案内部を備えることを特徴とする請求項１から６のいずれか一項に記載の天板昇降式什器。
【請求項８】
前記下部構造体は、左右方向に離間して一対設けられ、
前記配線受け部は、前記左右方向において前記天板の中央部分にのみ配置されていることを特徴とする請求項１から７のいずれか一項に記載の天板昇降式什器。
【発明の詳細な説明】
【技術分野】
【０００１】
本発明は、天板昇降式什器に関する。
【背景技術】
【０００２】
執務空間においては、執務者に作業エリアを提供するためにデスクが配置されていることが一般的である。このようなデスクにおいて、作業のし易い天板高さは、執務者の体格や性別、嗜好、作業内容等によって個々によって大きく異なる。そこで、天板高さを上下に変更可能とした天板昇降式什器が知られている。
【０００３】
例えば、下記の特許文献１に記載の天板昇降式什器では、脚体に内蔵されたリフト機構により支柱が上下移動し、支柱に支持された天板が昇降自在に構成されている。この天板昇降式什器では、天板上にはディスプレイ装置やキーボード等の電気機器が載置され、電気機器のコードは脚体の上端部に設けられた切欠き溝から脚体内部に配索され、脚体の下端部に設けられた切欠き溝から脚体の外部に導出されている。コードは、天板の下方に配置された棚板に載置された他の電気機器に接続されている。
【０００４】
この特許文献１に記載の天板昇降式什器では、脚体の内部には、上下動する支柱が設けられるとともに電気機器と接続された配線が配索されている。このため、配線が支柱と接触して、配線に接続された電気機器や上下動する支柱に支障が生じたり、誤動作したりする可能性がある。
【０００５】
そこで、天板における利用者が対向する側と反対側の反使用端の下方に、配線トレイが設けられ、天板上の電気機器の配線が天板の反使用端から配線トレイに収容されるものが提案されている（下記の特許文献２参照）。
【先行技術文献】
【特許文献】
【０００６】
【特許文献１】実公平１−３６４２９号公報
【特許文献２】特許第４１３３３７４号公報
【発明の概要】
【発明が解決しようとする課題】
【０００７】
しかしながら、上記の特許文献２では、配線トレイは天板の幅方向の略全長にわたって設けられているため、配線の長さが長い場合等には、配線の余長部分が配線トレイからはみ出し、はみ出した配線が脚体と干渉してしまう可能性がある。また、配線の余長部分が天板の幅方向の端部から垂れ下がり、垂れ下がった配線が天板の幅方向の両端部に配置された脚体と干渉してしまう可能性がある。
【０００８】
本発明は、上記事情に鑑みてなされたものであり、電気機器の配線と脚体との接触を抑制することができる天板昇降式什器を提供するものである。
【課題を解決するための手段】
【０００９】
本発明は、上記課題を解決するため、以下の手段を採用する。
すなわち、本発明に係る天板昇降式什器は、上面に作業面が形成された天板を有する上部構造体と、該上部構造体を昇降可能に支持する下部構造体と、前記上部構造体側から延びる配線を案内する上部案内部と、前記上部構造体の下方であって前記下部構造体から離間した位置に配置されるとともに、前記上部案内部に案内された前記配線の余長部分を収容し、前記配線の下方へのアクセスを可能とする配線受け部と、を備えることを特徴とする。
【００１０】
このように構成された天板昇降式什器では、上部構造体に設けられた電気機器の配線は、上部案内部により配線受け部に案内される。配線受け部は、天板の下方であって下部構造体と離間した位置に配置されているため、配線受け部に配置された配線と脚体との接触が抑制される。また、配線のうち、電気機器から延びる余長部分は、配線受け部に収容されているため、配線が不用意に垂れ下がったり、配線が天板の昇降とともに予期しない方向に妄りに動いたりして、脚体と接触することが抑制される。
【００１１】
また、本発明に係る天板昇降式什器では、前記上部構造体は、前記天板の後部から立設された背面部と、前記天板から立設され、前記背面部よりも前方に配置された前面部と、を有し、前記上部案内部は、前記背面部と前記前面部との間に形成されていることがこのましい。
【００１２】
このように構成された天板昇降式什器では、上部案内部は、天板の後部から立設された背面部と、天板から立設され背面部よりも前方に配置された前面部との間に形成されている。よって、配線は、背面部と前面部との前後方向の間に配置されるため、前方及び後方からの配線の露出が抑制される。
【００１３】
また、本発明に係る天板昇降式什器は、前記背面部には、外部と前記上部案内部とを連通し、前記配線が配置される第一開口部が形成されていてもよい。
【００１４】
このように構成された天板昇降式什器では、電気機器の配線は、背面部に形成された第一開口部から上部案内部に導入される。よって、配線を背面部側から上部案内部に導入できるため、配線の露出を抑制することができる。
【００１５】
また、本発明に係る天板昇降式什器では、前記上部構造体は、前記天板の上方に配置され、前記背面部に支持された棚板を有し、前記上部案内部は、前記天板と前記棚板との間に形成されていてもよい。
【００１６】
このように構成された天板昇降式什器では、上部案内部は、天板と、天板の上方に配置され背面部に支持された棚板との間に形成されている。よって、配線は、天板と棚板との上下方向の間に配置されるため、上方及び下方からの配線の露出が抑制される。
【００１７】
また、本発明に係る天板昇降式什器は、前記天板には、前記配線受け部と前記上部案内部とを連通し、前記配線が配置される第二開口部が形成されていてもよい。
【００１８】
このように構成された天板昇降式什器では、上部案内部に案内された配線は、天板に形成された第二開口部から配線受け部に導入される。よって、配線を天板に形成された第二開口部から配線受け部に導入できるため、配線の露出を抑制することができる。
【００１９】
また、本発明に係る天板昇降式什器では、前記第二開口部は、前記配線受け部の上方に配置されていてもよい。
【００２０】
このように構成された天板昇降式什器では、第二開口部は配線受け部の上方に配置されているため、上部案内部と配線受け部との間に配置される配線の長さを抑えることができ、配線の露出が抑制される。
【００２１】
また、本発明に係る天板昇降式什器は、前記配線受け部には、前記配線が接続可能な電源タップが設けられ、該電源タップの電源線を下方に案内する下部案内部を備えていてもよい。
【００２２】
このように構成された天板昇降式什器では、配線は配線受け部に設けられた電源タップに接続されるとともに、余長部分が電源タップのまわりで配線受け部に集約される。また、電源タップの電源線は下部案内部で下方に案内され、電源線がばらけることがないため、利用者が電源線と接触することが抑制される。
【００２３】
また、本発明に係る天板昇降式什器では、前記下部構造体は、左右方向に離間して一対設けられ、前記配線受け部は、前記左右方向において前記天板の中央部分にのみ配置されていてもよい。
【００２４】
このように構成された天板昇降式什器では、下部構造体は左右方向に離間して一対設けられ、配線受け部は左右方向において略中央にのみ配置されている。つまり、配線受け部は下部構造体が配置される左右両側方には設けられていないため、配線と下部構造体との接触が一層抑制される。
【発明の効果】
【００２５】
本発明に係る天板昇降式什器によれば、電気機器の配線と脚体との接触を抑制することができる。
【図面の簡単な説明】
【００２６】
【図１】本発明の一実施形態に係る天板昇降式什器の全体構成を示す斜視図である。
【図２】本発明の一実施形態に係る天板昇降式什器の下部構造体が伸縮可能する様子を示す側面図である。
【図３】本発明の一実施形態に係る天板昇降式什器の正面図である。
【図４】図３のＡ−Ａ断面図である。
【図５】図３のＢ−Ｂ断面図である。
【図６】本発明の一実施形態に係る天板昇降式什器の平面図であり、一部破断して示している。
【図７】本発明の一実施形態に係る天板昇降式什器を後方から見た斜視図である。
【図８】本発明の一実施形態の変形例に係る天板昇降式什器の全体構成を示す斜視図である。
【図９】本発明の一実施形態の変形例に係る天板昇降式什器の正面図である。
【図１０】図９のＣ−Ｃ断面図である。
【図１１】図９のＤ−Ｄ断面図である。
【図１２】本発明の一実施形態の変形例に係る天板昇降式什器の平面図であり、一部破断して示している。
【図１３】本発明の一実施形態の変形例に係る天板昇降式什器の配線受け部及びその周辺を示す斜視図である。
【図１４】本発明の一実施形態の変形例に係る天板昇降式什器の下部構造体を示す斜視図である。
【発明を実施するための形態】
【００２７】
以下、添付図面を参照して、本発明に係る天板昇降式什器を実施するための形態を説明する。しかし、本発明はこの実施形態のみに限定されるものではない。
【００２８】
図１は、本発明の一実施形態に係る天板昇降式什器の全体構成を示す斜視図である。図２は、本発明の一実施形態に係る天板昇降式什器の下部構造体が伸縮する様子を示す側面図である。
図１及び図２に示すように、天板昇降式デスク（天板昇降式什器）１００は、一対の脚体（下部構造体）１と、脚体１に支持された上部構造体３と、を備えている。
以下の説明において、便宜上、利用者が天板昇降式に向かう側を「前方」と称し、反対側を「後方」と称する。また、これら前方と後方とを結ぶ前後方向（対向方向）と直交し水平方向に沿う方向を「幅方向」（左右方向）と称する。
【００２９】
脚体１は、上部構造体３の幅方向に間隔を有して配置されている。脚体１は床面Ｆ上に設置されたベース部材１１と、ベース部材１１から起立して上方に延び、上部構造体３を支持する脚部材１２と、を備えている。
【００３０】
ベース部材１１は、例えば前後方向に長い長方形状をなしている。ベース部材１１の前後両端部の下面には、それぞれアジャスター１１ａが設けられ、床面Ｆからの高さ調整が可能となっている。
【００３１】
脚部材１２は、ベース部材１１に固定された下部支持体１２ａと、下部支持体１２ａ内から上下方向に昇降可能に収容された中間支持体１２ｂと、中間支持体１２ｂ内から上下方向に昇降可能に収容された上部支持体１２ｃと、を有している。上部支持体１２ｃの上端部には前後方向に延びる支持アーム部１２ｄが設けられ、上部支持体１２ｃ及び支持アーム部１２ｄは上部構造体３を支持している。支持アーム部１２ｄは、後述する天板３１の前後方向の略全長にわたって配置されている。上部支持体１２ｃどうしは、連結部材２（図４参照）により連結されている。
【００３２】
これら下部支持体１２ａ、中間支持体１２ｂ及び上部支持体１２ｃは、例えば四角形筒状に形成されているが、円筒状等でもよく、水平断面形状は任意の筒状でよい。下部支持体１２ａに対して中間支持体１２ｂ及び上部支持体１２ｃがそれぞれ上下方向に出没することで脚部材１２の上下方向長さを調整することができる。
【００３３】
なお、本実施形態では、下部支持体１２ａに対して中間支持体１２ｂと上部支持体１２ｃとを上下方向に出没可能に配設したが、上部構造体３を上下動させるには少なくとも下部支持体１２ａと上部支持体１２ｃとを備えていればよい。または、中間支持体１２ｂを複数設けて互いに出没可能としてもよい。
【００３４】
上部構造体３は、脚体１に支持された天板体３０と、引き出し４０と、天板体３０の幅方向の両端部に設けられた側板パネル５０と、側板パネル５０間に架設された棚板６０と、天板体３０に載置されたトレイ７０と、を有している。
【００３５】
天板体３０は、脚体１の上部支持体１２ｃの上面に支持されて設けられている。天板体３０は、上部支持体１２ｃに、溶接またはボルト等によって接合されている。天板体３０は、幅方向に長い平面視長方形状をなしている。
【００３６】
図３は、天板昇降式デスク１００の正面図である。図４は、図３のＡ−Ａ断面図である。図５は、図３のＢ−Ｂ断面図である。
図１、図４及び図５に示すように、天板体３０は、水平面に沿って板状に配置された天板３１と、天板３１の前端部３１ｆの下部に設けられた下部補助部材３６と、を有している。天板３１と下部補助部材３６とは、接合され、一体とされている。図４及び図５に示すように、天板３１の上面には、水平面に沿い物品が載置可能な作業面３１ｕが形成されている。
【００３７】
図６は、天板昇降式デスク１００の平面図であり、一部破断して示している。
図６に示すように、天板３１は、天板昇降式デスク１００の幅方向に長い略長方形状をなしている。天板３１の後部には、上下方向に貫通し、幅方向に沿って長い配線孔（第二開口部）３１ｈが形成されている。配線孔３１ｈは、天板３１の幅方向の略中央部分にのみ形成されている。つまり、配線孔３１ｈは、天板３１の幅方向の両側部には形成されていない。
【００３８】
図１に示すように、下部補助部材３６は、天板３１の左右両側に設けられている。換言すると、天板３１において、左右方向の中央には、下部補助部材３６が設けられていない。下部補助部材３６が設けられていない左右方向の中央には、引き出し４０が設けられている。
【００３９】
例えば、天板３１の下面３１ｃ（図４参照）には、引き出し４０の側板４２に沿って配置された引き出し支持部（不図示）が設けられ、当該引き出し支持部に前後方向に延びるレール（不図示）が設けられている。引き出し４０は、レールに沿って、天板３１に対して前後方向に移動可能、つまり天板３１の下方に収容された位置から、天板３１の下方から前方に突出した位置に移動可能とされている。
【００４０】
図１に示すように、天板体３０の左右方向両端部には、側板パネル５０が設けられている。側板パネル５０は、前側に配置された前側板部５１と、前側板部５１に連続して前側板部５１よりも後方に配置された後側板部５２と、を有している。前側板部５１の高さは、後側板部５２の高さよりも低い。後側板部５２の前部には、上方から下方に向かうにしたがって次第に前方に傾斜する傾斜面５２ｓが形成されている。後側板部５２の後部には、上方から下方に向かうにしたがって次第に前方に傾斜する傾斜面５２ｔが形成されている。
【００４１】
左右方向に離間して配置された側板パネル５０間には、上面が載置面とされた棚板６０が架設されている。
【００４２】
図４及び図５に示すように、棚板６０の前後方向の長さは、天板３１の前後方向の長さよりも随分短く、棚板６０は天板３１の後部寄りに配置されている。棚板６０の前端部６０ｆは、天板３１の前端部３１ｆよりも後方に配置されている。
【００４３】
例えば、棚板６０の左右両端部及び天板３１の左右両端部に設けられたダボが側板パネル５０に設けられたダボ穴に挿通されて、棚板６０及び天板３１は側板パネル５０に固定されている。
【００４４】
図１、図４及び図５に示すように、左右方向に離間して配置された側板パネル５０間には、前後方向及び鉛直面に沿う仕切りパネル５６が左右方向に離間して一対設けられている。仕切りパネル５６の前部には、上方から下方に向かうにしたがって次第に前方に傾斜する傾斜面５６ｓが形成されている。
【００４５】
図４及び図５に示すように、仕切りパネル５６の後端部且つ上端部には、左右方向に貫通する配線切欠き５６ｈが形成されている。
【００４６】
例えば、仕切りパネル５６の下端部は、天板３１に接着等により接合されている。仕切りパネル５６の上端部に設けられたダボが棚板６０の下面６０ｂに設けられたダボ穴に挿通されて、仕切りパネル５６は棚板６０に固定されている。
【００４７】
図７は、天板昇降式デスク１００を後方から見た斜視図である。
図４、図５及び図７に示すように、天板３１の後端部には、背面板（背面部）８１が設けられている。背面板８１は、左右方向に離間して配置された側板パネル５０間に配置されている。
【００４８】
背面板８１は、天板昇降式デスク１００の幅方向及び鉛直面に沿って配置されている。背面板８１の上端部には、前後方向に貫通する配線開口部（第一開口部）８１ｈが形成されている。配線開口部８１ｈは、左右方向に離間して４箇所に形成されている。
【００４９】
背面板８１の左右両端部且つ下端部は、側板パネル５０の後端部且つ下端部と当接または連結されている。側板パネル５０の後端部の傾斜面５２ｔは上方から下方に向かうにしたがって次第に前方に傾斜しているため、側板パネル５０の後端部且つ上端部及び棚板６０の後端部は、背面板８１よりも後方に突出している。
【００５０】
背面板８１の上端部は、棚板６０を支持している。背面板８１の下端部は、天板３１よりも下方に延びている。
【００５１】
図１に示すように、天板３１の幅方向の中央では、天板３１の後部に、目隠し板（前面部）８３が設けられている。図４に示すように、目隠し板８３は、背面板８１よりも前方に配置されている。目隠し板８３は、上端部が棚板６０に連結され、下端部が天板６１に連結されている。
【００５２】
背面板８１と、目隠し板８３と、天板３１と、棚板６０とで形成された空間が、配線案内部（上部案内部）Ｓ１である。
【００５３】
図１に示すように、側板パネル５０と仕切りパネル５６との間において、天板３１の作業面３１ｕにはトレイ７０が載置されている。
【００５４】
図１及び図５に示すように、側板パネル５０と仕切りパネル５６との間において、棚板６０の前端部の下部には、操作支持部材６３が設けられている。操作支持部材６３は棚板６０の下面６０ｂから下方に垂れ下がるように設けられている。操作支持部材６３には、後述するコンセント６４や操作部６５が設けられている。
【００５５】
天板３１の下面３１ｃには、配線トレイ（配線受け部）９０が設けられている。配線トレイ９０は、天板３１の下面３１ｃに沿って配置された取付面部９１と、取付面部９１の後端部から下方に折曲された鉛直面部９２と、鉛直面部９２の下端部から後方に延出するする配線支持面部９３と、を有している。
【００５６】
取付面部９１は、天板３１の下面３１ｃに螺子等で固定されている。配線支持面部９３の後端部には、上方に立ちあがる縁部９４が設けられている。
【００５７】
図６に示すように、配線トレイ９０は、天板３１の幅方向の略中央にのみ設けられている。配線トレイ９０は、平面において、脚体１から左右方向に離間した位置に配置されている。本実施形態では、配線トレイ９０は、天板３１の配線孔３１ｈが形成される左右方向の位置に対応して配置されている。配線トレイ９０は、天板３１の配線孔３１ｈの直下に配置されている。
【００５８】
さらに、天板昇降式デスク１００は、中間支持体１２ｂ及び上部支持体１２ｃを昇降動作させる駆動モータ（不図示）と、中間支持体１２ｂ及び上部支持体１２ｃの昇降動作を制御する公知の制御ユニット（不図示）と、制御ユニットに昇降動作信号を入力するための操作部６５と、を備えている。
【００５９】
制御ユニットは、例えば、上部支持体１２ｃどうしを連結する連結部材２内に収容されている。制御ユニットは、操作部６５及び外部電源に配線ケーブル（不図示）で接続されている。
【００６０】
利用者が操作部６５に対して不図示のボタン等を後方に押圧して、所定の操作を入力すると、操作部６５から配線ケーブルを介し、制御ユニットに操作信号が送信される。制御ユニットは、操作部６５から操作信号を受信すると、受信した信号に基づいて脚部材１２に昇降動作を実行させる指令信号を出力する。各脚部材１２は、指令信号を受信すると、その指令信号に応じて、駆動モータが駆動し、中間支持体１２ｂ及び上部支持体１２ｃを昇降動作、天板体３０の高さの調整がされる。
【００６１】
次に、上記の天板昇降式デスク１００に設けられた電気機器の配線の配索について説明する。棚板６０に載置された照明装置Ｈの配線Ｄを例に挙げて説明する。
【００６２】
図５に示すように、配線Ｄは、棚板６０の上面に沿って後方に延び、棚板６０の後端部から、背面板８１の配線開口部８１ｈに挿通される。なお、複数の配線開口部８１ｈのうち、照明装置Ｈに近い位置の配線開口部８１ｈに挿通することが好ましい。
【００６３】
図３に示すように、配線Ｄは、仕切りパネル５６の配線切欠き５６ｈに挿通される。図４に示すように、配線Ｄは、背面板８１と目隠し板８３と天板３１と棚板６０とで形成された配線案内部Ｓ１内に配置され、天板３１の配線孔３１ｈから天板３１の下方に設けられた配線トレイ９０に案内される。配線トレイ９０には電源タップ９６が設けられていて、配線Ｄは電源タップ９６に接続されている。配線Ｄの余長部分は、配線トレイ９０の配線支持面部９３の上に配置される。配線支持面部９３の端部には上方に立ちあがる縁部９４が設けられているため、配線Ｄが配線トレイ９０から落下することが抑制される。
【００６４】
図３及び図６に示すように、電源タップ９６に接続された電源線Ｇは、配線トレイ９０の左右端部から、天板３１の下面３１ｃに沿って延び、支持アーム部１２ｄ（図１参照）の後端部に設けられたケーブル保護チェーン９７内に配置され、外部電源（不図示）に接続される。このように、ケーブル保護チェーン９７が支持アーム部１２ｄの後端部に設けられているため、電源線Ｇを脚部材１２から遠ざけることができる。
【００６５】
なお、照明装置Ｈが天板昇降式デスク１００の幅方向の逆側に配置されている場合には、配線Ｄの延びる向きが逆になる。一方、照明装置Ｈが天板昇降式デスク１００の幅方向の中央に配置されている場合には、背面板８１の配線開口部８１ｈから挿通された配線は、配線案内部Ｓ１内に配置され、その後の配置は上記と同じである。
【００６６】
このように構成された天板昇降式デスク１００では、上部構造体３に設けられた照明装置Ｈの配線Ｄは、配線案内部Ｓ１により配線トレイ９０に案内される。配線トレイ９０は、天板３１の下方であって脚体１と離間した位置に配置されているため、配線トレイ９０に配置された配線Ｄと脚体１との接触が抑制される。また、配線Ｄのうち、照明装置Ｈから延びる余長部分は、配線トレイ９０に収容されている。よって、上部構造体３の高さが高くなると余長部分は延びて、上部構造体３の高さが低くなると余長部分は配線トレイ９０の上に配置される。したがって、配線Ｄが不用意に垂れ下がったり、配線Ｄが天板３１の昇降とともに予期しない方向に妄りに動いたりして、脚体１と接触することが抑制される。
【００６７】
また、配線案内部Ｓ１は、天板３１の後部から立設された背面板８１と、天板３１から立設され背面板８１よりも前方に配置された目隠し板８３との間に形成されている。よって、配線Ｄは、背面板８１と目隠し板８３との前後方向の間に配置されるため、前方及び後方からの配線Ｄの露出が抑制される。
【００６８】
また、照明装置Ｈの配線Ｄは、背面板８１に形成された配線開口部８１ｈから配線案内部Ｓ１に導入される。よって、配線Ｄを背面板８１側から配線案内部Ｓ１に導入できるため、配線Ｄの露出を抑制することができる。
【００６９】
また、配線案内部Ｓ１は、天板３１と、背面板８１の上部に支持され天板３１の上方に配置された棚板６０との間に形成されている。よって、配線Ｄは、天板３１と棚板６０との上下方向の間に配置されるため、上方及び下方からの配線Ｄの露出が抑制される。
【００７０】
また、配線案内部Ｓ１に案内された配線Ｄは、天板３１に形成された配線孔３１ｈから配線トレイ９０に導入される。よって、配線Ｄを天板３１の配線孔３１ｈから配線トレイ９０に導入できるため、配線Ｄの露出を抑制することができる。
【００７１】
また、天板３１の配線孔３１ｈは配線トレイ９０の直上に配置されているため、配線案内部Ｓ１と配線トレイ９０との間に配置される配線Ｄの長さを抑えることができ、配線Ｄの露出が抑制される。
【００７２】
また、脚体１は左右方向に離間して一対設けられ、配線トレイ９０は天板３１の左右方向の略中央にのみ配置されている。つまり、配線トレイ９０は脚体１が配置される左右両側方には設けられていないため、配線Ｄと脚体１との接触が一層抑制される。
【００７３】
なお、本発明に係る建具は、上述した実施形態に係る天板昇降式デスク１００に限定されるものではなく、本発明の要旨を逸脱しない範囲で適宜の変更や置換等が可能である。
以下に、本発明の変形例について説明するが、上述した実施形態で説明した部品や部材等と同一または同様なものについては、同一の符号を用いて説明する。
【００７４】
（変形例）
次に、上記に示す実施形態の変形例について、主に図８から図１４を用いて説明する。
図８は、本発明の一実施形態の変形例に係る天板昇降式什器の全体構成を示す斜視図である。図９は、本発明の一実施形態の変形例に係る天板昇降式什器の正面図である。図１０は、図９のＣ−Ｃ断面図である。図１１は、図９のＤ−Ｄ断面図である。図１２は、本発明の一実施形態の変形例に係る天板昇降式什器の平面図であり、一部破断して示している。図１３は、本発明の一実施形態の変形例に係る天板昇降式什器の配線受け部及びその周辺を示す斜視図である。図１４は、本発明の一実施形態の変形例に係る天板昇降式什器の下部構造体を示す斜視図である。
本変形例に係る天板昇降式デスク２００では、図８に示すように、脚部材１２に沿って配置されたカバー部材（下部案内部）６８が設けられ、カバー部材６８内に電源線Ｇが配置されている。
【００７５】
図１１及び図１３に示すように、天板３１の下面３１ｃには、配線ダクト（下部案内部）６７が設けられている。配線ダクト６７は、天板３１の幅方向にわたって配置されている。配線ダクト６７は、上部支持体１２ｃどうしを連結する連結部材の機能を有していてもよいし、連結部材とは別に設けてもよい。
【００７６】
配線ダクト６７は、天板３１の下面３１ｃに沿って配置される上面部６７ａと、上面部６７ａの前後方向の両端部からそれぞれ下方に折曲された折曲壁部６７ｂと、各折曲壁部６７ｂの下端部から対向する折曲壁部６７ｂに向かって折曲された下面部６７ｃと、を有している。
【００７７】
配線ダクト６７には、配線トレイ（配線受け部）１９０が設けられている。配線トレイ１９０は、配線ダクト６７の下面部６７ｃに沿って配置された取付面部１９１と、取付面部１９１の前端部から上方に折曲された上向き面部１９２と、取付面部１９１の後端部から後方に延出するする配線支持面部１９３と、を有している。
【００７８】
取付面部１９１は、配線ダクト６７の下面部６７ｃに螺子等で固定されている。配線支持面部１９３の後端部には、上方に立ちあがる縁部１９４が設けられている。
【００７９】
次に、上記の天板昇降式デスク２００に設けられた電気機器の配線の配索について説明する。棚板６０に載置された照明装置Ｈの配線Ｄを例に挙げて説明する。
【００８０】
図１１に示すように、配線Ｄは、棚板６０の上面に沿って後方に延び、棚板６０の後端部から、背面板８１の配線開口部８１ｈに挿通される。なお、複数の配線開口部８１ｈのうち、照明装置Ｈに近い位置の配線開口部８１ｈに挿通することが好ましい。
【００８１】
図９に示すように、配線Ｄは、仕切りパネル５６の配線切欠き５６ｈに挿通される。図１０に示すように、配線Ｄは、背面板８１と目隠し板８３と天板３１と棚板６０とで形成された配線案内部Ｓ１内に配置され、天板３１の配線孔３１ｈから天板３１の下方に設けられた配線トレイ１９０に案内される。配線トレイ１９０には電源タップ９６が設けられていて、配線Ｄは電源タップ９６に接続されている。なお、電源タップは、配線ダクト６７内に配置されていてもよい。
【００８２】
図１２、図１３及び図１４に示すように、電源タップ９６に接続された電源線Ｇは、配線ダクト６７に形成された配線孔６７ｇ等から配線ダクト６７の内部に導入される。電源線Ｇは、配線ダクト６７の端部に形成された配線孔６７ｈ等から下方に延び、ケーブル保護チェーン９７内に配置される。ケーブル保護チェーン９７の下端部はカバー部材６８（図８参照）に連結され、電源線Ｇはカバー部材６８の内部を下方に延び、カバー部材６８の下端部から出て、外部電源（不図示）に接続される。
【００８３】
このように構成された天板昇降式デスク２００では、配線Ｄは配線トレイ１９０に設けられた電源タップ９６に接続されるとともに、余長部分が電源タップ９６のまわりで配線トレイ１９０に集約される。また、電源タップ９６の電源線Ｇは配線ダクト６７及びカバー部材６８で下方に案内され、電源線Ｇがばらけることがないため、利用者が電源線Ｇと接触することが抑制される。
【００８４】
なお、本発明の主旨を逸脱しない限り、上記実施の形態で挙げた構成を取捨選択したり、他の構成に適宜変更したりすることが可能である。
【００８５】
例えば、上記に示す実施形態では、実施形態では支持アーム部１２ｄの後端部にケーブル保護チェーン９７が設けられ、変形例では脚部材１２に沿ってカバー部材６８が設けられているが、本発明はこれに限られず、電源線Ｇが配線トレイ９０の縁から垂れ下がる構成であってもよい。
【００８６】
また、電源タップ９６が配線トレイ９０に設けられることで、複数の電気機器の配線Ｄが、配線トレイ９０に効率的に集約されるが、電源タップ９６は、配線ダクト６７や配線案内部Ｓ１に設けられていてもよいし、あるいは電源タップ９６が設けられていなくてもよい。
【００８７】
また、天板昇降式デスク１００は、天板３１が昇降可能であれば、例えば脚体１の構成、配置、設置本数等、他のいかなる構成としても良い。
【００８８】
また、駆動モータの構成についても、天板３１を昇降可能とするのであれば、他のいかなる構成としても良い。
【符号の説明】
【００８９】
１００，２００…天板昇降式デスク（天板昇降式什器）
１…脚体
３…上部構造体
１０…下部構造体
１１…ベース部材
１２…脚部材
１２ａ…下部支持体
１２ｂ…中間支持体
１２ｃ…上部支持体
３…上部構造体
３０…天板体
３１…天板
３１ｕ…作業面
３１ｈ…配線孔（第二開口部）
３６…下部補助部材
４０…引き出し
５０…側板パネル
５６…仕切りパネル
５６ｈ…配線切欠き
６０…棚板
６０ｆ…前端部
６３…操作支持部材
６５…操作部
６７…配線ダクト（下部案内部）
６８…カバー部材（下部案内部）
７０…トレイ
９０，１９０…配線トレイ（配線受け部）
８１…背面板（背面部）
８１ｈ…配線開口部（第一開口部）
８３…目隠し板（前面部）
９６…電源タップ
Ｆ…床面
Ｄ…配線
Ｇ…電源線
Ｈ…照明装置（電気機器）
Ｓ１…配線案内部（上部案内部）
【図１】
2018068937.tif 000003
【図２】
2018068937.tif 000004
【図３】
2018068937.tif 000005
【図４】
2018068937.tif 000006
【図５】
2018068937.tif 000007
【図６】
2018068937.tif 000008
【図７】
2018068937.tif 000009
【図８】
2018068937.tif 000010
【図９】
2018068937.tif 000011
【図１０】
2018068937.tif 000012
【図１１】
2018068937.tif 000013
【図１２】
2018068937.tif 000014
【図１３】
2018068937.tif 000015
【図１４】
2018068937.tif 000016